(57)【要約】【課題】旅行カバン防犯ロックの提供。【解決手段】一種の旅行カバン防犯ロックの改良機構、主に上部カバン体に設ける掛け金、下部カバン体に設ける掛け棒、及び該掛け棒の全部に設ける支持機構より校正する。そのうち、該掛け棒に細長い孔を設け、その一端はばねを穿設した後、該カバン体表面の押しボタンに連結する。該支持機構に切欠きを有する円盤又は摺動可能なシート体を設け、該円盤又はシート体をカバン体表面の制御ボタンに連結する。該制御ボタンにより、円盤の切欠きを掛け棒に対応させるか、又はシート体を後方に摺動させ、掛け金を掛け棒に備える細長い孔に掛けて、施錠する。一方、押しボタンを内側に押すことにより解錠でき、鍵の使用の煩わしさが不要である。該制御ボタンにより円盤を掛け棒に支えるか、又はシート体を前方に摺動させることにより、該押しボタンを内側への押さえ込みを制止し、安全防護の目的を実現する。【選択図】図２
0003129351.tif 000002
【実用新案登録請求の範囲】
【請求項１】
上部カバン体に掛け金を設け、
下部カバン体に弾性の掛け棒を設け、上部カバン体の掛け金と締結し、その一端に下部カバン体表面に突き出す制御ボタンと連結し、
該掛け棒前面に支持機構を設け、該下部カバン体表面に突き出す制御ボタンと連結し、  前記の構成要素を組み合わせることにより、本考案の旅行カバン安全ロックを構成し、掛け金を掛け棒の細長い孔に掛けて、カバン体を閉合し、該制御ボタンは支持機構を掛け棒に支えるか又は引き離すことにより、カバン体の施錠又は開錠を行い、キー使用の面倒を解消できることを特徴とする旅行カバン防犯ロック。
【請求項２】
該掛け棒に掛け金の締結のため、細長い孔を設け、その一端に留め金を穿設した後、下部カバン体表面に突き出す制御ボタンと連結し、該留め金と押しボタンとの間にばねを設け、適切な弾性を形成することを特徴とする請求項１記載の旅行カバン防犯ロック。
【請求項３】
該支持機構に切欠きを備えた円盤を有し、該円盤にカバン本体表面に突き出す制御ボタンに連結し、該制御ボタンを回すことにより、円盤の切欠きを掛け棒に対応させ、該押しボタンを内側に押すと、掛け棒は内側に摺動し、掛け金は掛け棒の細長い孔より引き離してカバン本体を開放するか、又は切欠きを設けない円盤の縁を該掛け棒に支えることにより、該押しボタンは内側に押すことを制止して、安全防護の目的を実現することを特徴とする請求項１記載の旅行カバン防犯ロック。
【請求項４】
該支持機構は滑りレールに取り付けたシート体を設け、該シート体はカバン本体表面に突き出す制御ボタンに連結し、該制御ボタンの摺動により、シート体を掛け棒より引き離し、該押しボタンを内側に押すと、掛け棒は内側に摺動し、掛け金は掛け棒の細長い孔より引き離してカバン本体を開放するか、又はシート体を該掛け棒に支えることにより、該押しボタンは内側に押すことを制止して、安全防護の目的を実現することを特徴とする請求項１記載の旅行カバン防犯ロック。
【請求項５】
該円盤の盤面周縁の適切場所にばね板を設け、円盤を回転するとき、ばね板と三角切欠きとの締結により、固定の働きを発生し、回転をより順調に行えることを特徴とする請求項３記載の旅行カバン防犯ロック。
【請求項６】
該シート体の底面の適切場所にばね板を設け、シート体摺動するとき、ばね板と三角切欠きとの締結により、固定の働きを発生し、回転をより順調に行えることを特徴とする請求項４記載の旅行カバン防犯ロック。
【考案の詳細な説明】
【技術分野】
【０００１】
本考案は一種の旅行カバン防犯ロック改良機構、特に一種の簡単操作で、カバン体の開錠、施錠操作でき、鍵の使用が不要の旅行カバン防犯ロック機構に関わるものである。
【背景技術】
【０００２】
一般の旅行カバンの構造は、図１に示す通り、カバン本体１前面の中央場所にナンバーロック１１と錠前１２を設け、両側に締結機構を設けて、該締結機構は錠前１３により、施錠と開錠を制御する。この種の公知技術の旅行カバン構造は三つ以上の錠前１２、１３が設けられている。これにより、カバン本体１の安全防護を提供し、衝撃や移動による不正常な開放を防止できる。しかしながら、税関出入りの安全検査に当たり、二つ以上のキーでもって、錠前１２、１３を使用しそれぞれ開錠するため、時間と手間が掛かる。その上、キーの紛失や見当たらないとき、施錠された錠前１２は安全検査員の特殊キーで開錠できるが、テロー活動が横行しているため、安全処置が厳しくなり、保安検査員がカバン本体１をこじ開けて検査するなど、他の錠前１３を破損させ、利用者に損失を与え、理想とはいえない。本考案者はこの種の業務における長年の経験に基づいて、研究、実験を重ねて行い、その改良を思案し、旅行カバン防犯ロックの簡易操作による開錠、施錠を図り、キー使用の面倒の解消を図る。
【考案の開示】
【考案が解決しようとする課題】
【０００３】
旅行カバンは手動操作による開放又は締結により、開錠又は施錠を操作しキー使用の面倒をなくして、旅行カバンの実用性を図る、一種の旅行カバン防犯ロック改良機構を提供することが本考案の主な目的とする。
【０００４】
前記の旅行カバン安全ロックの改良機構は、主に上部カバン体に備える掛け金、下部カバン体に設け、カバン本体表面の押しボタンに突き出して掛け棒を設け、及び該掛け棒前面の支持機構を含まれる。該支持機構はカバン本体表面に突き出す制御ボタンを支えて、掛け金より掛け棒の細長い孔を掛けて、カバン本体の閉合を構成し、該制御ボタンにより支持機構を掛け棒又は支える又は引き離し、カバン本体の施錠又は開放を行い、キー使用の面倒を解消できる。
【０００５】
本考案の旅行カバン安全ロックの改良機構は、該掛け棒に細長い孔を設け、その一端にばねを穿設した後、カバン本体表面に突き出す押しボタンと連結し、掛け金を掛け棒の細長い孔に締結し、カバン本体の閉合を構成し、押しボタンを内側に押すことにより、掛け金を引き離して、開放できるようにする。
【０００６】
本考案の旅行カバン安全ロックの改良機構は、該支持機構に切欠きを備えた円盤を有し、該円盤にカバン本体表面に突き出す制御ボタンに連結し、該制御ボタンを回すことにより、円盤の切欠きを掛け棒に対応させる。該押しボタンを内側に押すと、掛け棒は内側に摺動し、掛け金は掛け棒の細長い孔より引き離してカバン本体を開放する。又は切欠きを設けない円盤の縁を該掛け棒に支えることにより、該押しボタンは内側に押すことを制止して、安全防護の目的を実現する。
【０００７】
本考案の旅行カバン安全ロックの改良機構において、該支持機構は滑りレールに取り付けたシート体を設け、該シート体はカバン本体表面に突き出す制御ボタンに連結し、該制御ボタンの摺動により、シート体を掛け棒より引き離す。該押しボタンを内側に押すと、掛け棒は内側に摺動し、掛け金は掛け棒の細長い孔より引き離してカバン本体を開放する。又はシート体を該掛け棒に支えることにより、該押しボタンは内側に押すことを制止して、安全防護の目的を実現する。
【課題を解決するための手段】
【０００８】
請求項１の考案は、上部カバン体に掛け金を設け、
下部カバン体に弾性の掛け棒を設け、上部カバン体の掛け金と締結し、その一端に下部カバン体表面に突き出す制御ボタンと連結し、
該掛け棒前面に支持機構を設け、該下部カバン体表面に突き出す制御ボタンと連結し、  前記の構成要素を組み合わせることにより、本考案の旅行カバン安全ロックを構成し、掛け金を掛け棒の細長い孔に掛けて、カバン体を閉合し、該制御ボタンは支持機構を掛け棒に支えるか又は引き離すことにより、カバン体の施錠又は開錠を行い、キー使用の面倒を解消できることを特徴とする旅行カバン防犯ロックとしている。
請求項２の考案は、該掛け棒に掛け金の締結のため、細長い孔を設け、その一端に留め金を穿設した後、下部カバン体表面に突き出す制御ボタンと連結し、該留め金と押しボタンとの間にばねを設け、適切な弾性を形成することを特徴とする請求項１記載の旅行カバン防犯ロックとしている。
請求項３の考案は、該支持機構に切欠きを備えた円盤を有し、該円盤にカバン本体表面に突き出す制御ボタンに連結し、該制御ボタンを回すことにより、円盤の切欠きを掛け棒に対応させ、該押しボタンを内側に押すと、掛け棒は内側に摺動し、掛け金は掛け棒の細長い孔より引き離してカバン本体を開放するか、又は切欠きを設けない円盤の縁を該掛け棒に支えることにより、該押しボタンは内側に押すことを制止して、安全防護の目的を実現することを特徴とする請求項１記載の旅行カバン防犯ロックとしている。
請求項４の考案は、該支持機構は滑りレールに取り付けたシート体を設け、該シート体はカバン本体表面に突き出す制御ボタンに連結し、該制御ボタンの摺動により、シート体を掛け棒より引き離し、該押しボタンを内側に押すと、掛け棒は内側に摺動し、掛け金は掛け棒の細長い孔より引き離してカバン本体を開放するか、又はシート体を該掛け棒に支えることにより、該押しボタンは内側に押すことを制止して、安全防護の目的を実現することを特徴とする請求項１記載の旅行カバン防犯ロックとしている。
請求項５の考案は、該円盤の盤面周縁の適切場所にばね板を設け、円盤を回転するとき、ばね板と三角切欠きとの締結により、固定の働きを発生し、回転をより順調に行えることを特徴とする請求項３記載の旅行カバン防犯ロックとしている。
請求項６の考案は、該シート体の底面の適切場所にばね板を設け、シート体摺動するとき、ばね板と三角切欠きとの締結により、固定の働きを発生し、回転をより順調に行えることを特徴とする請求項４記載の旅行カバン防犯ロックとしている。
【考案の効果】
【０００９】
本考案は旅行カバン防犯ロック、本考案は制御ボタンと支持機構との組合せで、旅行カバンの簡単操作により、カバン体の開放、閉合を行い、キー使用の面倒を解消できるため、実用性に合致する。
【考案を実施するための最良の形態】
【００１０】
図２、３及び図４を合わせて参照する。本考案は主に旅行カバン２、於旅行カバン２に公知技術のナンバーロック１１及び錠前１２を有する。旅行カバン２の上部カバン体２１に掛け金３を設け、下部カバン体２２に掛け棒４を設ける。そのうち、該掛け棒４に細長い孔４１を設け、その一端に留め金４２を穿設した後、下部カバン体２２表面に突き出す押しボタン４３に連結し、該留め金４２と押しボタン４３との間にばね４４を設け、該掛け棒４に適宜な弾性を与える。
【００１１】
該掛け棒４前面に支持機構を設け、該支持機構に円盤５を設け、該円盤５に切欠き５１及び９０度を形成する三角切欠き５２を設ける。該盤面周縁の適切場所にばね板５３を設け、該円盤５は下部カバン体２２表面に突き出す制御ボタン５４と連結する。
【００１２】
前記の構成要素を組み合わせることにより、該旅行カバン２に衣類を詰めた後、制御ボタン５４を回して、円盤５切欠き５１を掛け棒４に対応させた上、上部、下部カバン体２１、２２を閉合し、掛け金３を掛け棒４の細長い孔４１に通して、該細長い孔４１に掛けて、カバン体の閉合を構成する。引き続き、制御ボタン５４を反対方向に回して、切欠きを設けない円盤５の周縁を該掛け棒４に支えて、該押しボタン４３を内側に押すことを制止し、安全防護の目的を実現する。カバン体を開放するとき、再び制御ボタン５４を回して、円盤５の切欠き５１を掛け棒４に対応させ、押しボタン４３を内側に押して、掛け棒４を内側に摺動させ、掛け金３を掛け棒４の細長い孔４１より引き離して、旅行カバン２を開放でき、キー使用の面倒を解消する。
【００１３】
前記の円盤５を回すとき、ばね板５３と三角切欠き５２との締結により、固定の働きを有し、回転をより順調に行える。
【００１４】
図４、５を合わせて参照する。本考案は使用するとき、旅行カバン２に衣類を詰めた後、制御ボタン５４を回して、円盤５の切欠き５１を掛け棒４に対応させ、上部、下部カバン体２１、２２を閉合する。掛け金３は掛け棒４の弾性により細長い孔４１を通した後、該細長い孔４１の底面に掛けて、カバン体の閉合を構成する。引き続き制御ボタン５４を反対方向回して、切欠きを設けない円盤５の周縁を該掛け棒４に掛けて、該押しボタン４３を内側に押すことを制止し、施錠させ、安全防護の目的を実現する。一方、開放するとき、再び該制御ボタン５４を回して、該円盤５の切欠き５１を掛け棒４に対応させ、押しボタン４３を内側に押して、掛け棒４を内側に摺動させ、掛け金３を掛け棒４の細長い孔４１より引き離して、旅行カバン２を開放でき、キー使用の面倒を解消できるほか、安全検査のときは、簡単に開けることができる。
【００１５】
図６、７及び図８、９を合わせて参照する。本考案の支持機構は、シート体６を設け、該シート体６を滑りレール６１に取り付けて、該シート体６の底面の適切場所に二つの三角切欠き６２を設け、その下部の適切場所にばね板６３を設け、該シート体６を下部カバン体２２表面に突き出す制御ボタン６４と連結する。使用するとき、旅行カバン２に衣類を詰めた後、制御ボタン６４を摺動させ、シート体６を掛け棒４より引き離し、上部、下部カバン体２１、２２を閉合する。掛け金３は掛け棒４の弾性により細長い孔４１を通した後、該細長い孔４１の底面に掛けて、カバン体１を閉合する。引き続き、制御ボタン６４を反対方向に唱導させ、その端部を該掛け棒４に支えて、該押しボタン４３を内側に押すことを制止し、施錠を形成し、安全防護の目的を実現する。開放するとき、再び制御ボタン６４を摺動させ、掛け棒４を引き離して、押しボタン４３を内側に押したとき、掛け棒４を内側に摺動させ、掛け金３を掛け棒４の細長い孔４１より引き離して、旅行カバン２を開放できるため、キー使用の面倒を解消できるほか、安全検査のときに、簡単に開けることができる。
【００１６】
前記のシート体６を摺動するとき、ばね板６３と三角切欠き６２との締結により、固定の働きを有し、回転をより順調に行える。
【００１７】
前記した説明のとおり、本考案は制御ボタンと支持機構との組合せで、旅行カバンの簡単操作により、カバン体の開放、閉合を行い、キー使用の面倒を解消できるため、実用性に合致し、斬新な考案である。
【図面の簡単な説明】
【００１８】
【図１】公知技術の旅行カバンの立体図である。
【図２】本考案の旅行カバンの立体図である。
【図３】本考案の防犯ロックの立体図である。
【図４】本考案の防犯ロックの構造図である。
【図５】本考案の実施態様図である。
【図６】本考案もう一つの好ましい実施例における旅行カバンの立体図である。
【図７】本考案もう一つの好ましい実施例における防犯ロックの立体図である。
【図８】本考案もう一つの好ましい実施例における防犯ロックの立体図である。
【図９】本考案もう一つの実施例の使用態様図である。
【符号の説明】
【００１９】
１  カバン本体
１１  ナンバーロック
１２、１３  錠前
２  旅行カバン
２１  上部カバン体
２２  下部カバン体
３  掛け金
４  掛け棒
４１  細長い孔
４２  留め金
４３  押しボタン
４４  ばね
５  円盤
５１  切欠き
５２、６２  三角切欠き
５３、６３  ばね板
５４、６４  制御ボタン
６  シート体
６１  滑りレール
【図１】
0003129351.tif 000003
【図２】
0003129351.tif 000004
【図３】
0003129351.tif 000005
【図４】
0003129351.tif 000006
【図５】
0003129351.tif 000007
【図６】
0003129351.tif 000008
【図７】
0003129351.tif 000009
【図８】
0003129351.tif 000010
【図９】
0003129351.tif 000011